(57)【要約】【課題】梯子装置の収納時などには係止部材が梯子本体から突出せず、また梯子本体を立て掛けて使用する際には、係止部材を乗降口の敷居の溝内に容易に的確に挿入して梯子本体を支持することができるエレベータのピット内点検用梯子装置を提供する。【解決手段】ピット１７の底面と、エレベータ乗降口１８の敷居１９との間に立て掛けて使用する梯子装置１であって、梯子本体２と、この梯子本体２の両側面に設けられたボルト１２と、これらボルト１２を介して梯子本体２に取り付けられ、ボルト１２を緩めることでボルト１２を中心として梯子本体２に対して傾斜する方向に回動可能で、かつボルト１２に対して直角の方向に移動調整可能であるとともに、敷居１９のガイド溝２０内に挿入可能な係止板１０を有する係止部材８とを具備する。【選択図】    図８
2008201495.tif 000002
【特許請求の範囲】
【請求項１】
エレベータ昇降路のピットの底面と、そのピットの上部のエレベータ乗降口の敷居との間に立て掛けて使用する梯子装置であって、
梯子本体と、
この梯子本体の両側面に設けられた締め部材と、
これら締め部材を介して前記梯子本体に取り付けられ、締め部材を緩めることで締め部材を中心として梯子本体に対して傾斜する方向に回動可能で、かつ締め部材の軸方向に対する直角の方向に移動調整可能であるとともに、前記敷居のガイド溝内に挿入可能な係止板を有する係止部材と、
を具備することを特徴とするエレベータのピット内点検用梯子装置。
【請求項２】
前記係止部材を支持する締め部材は、梯子本体の長手方向に沿う複数の位置に移動調整可能であることを特徴とする請求項１に記載のエレベータのピット内点検用梯子装置。
【請求項３】
前記敷居のガイド溝の底面には、異物排出用の排出孔が形成され、前記係止部材の係止板には前記排出孔に挿入可能な突片が形成されていることを特徴とする請求項１または２に記載のエレベータのピット内点検用梯子装置。
【請求項４】
前記係止部材の係止板の外面には前記突片を含んで膜状の弾性材が貼り付けられていることを特徴とする請求項３に記載のエレベータのピット内点検用梯子装置。
【請求項５】
前記梯子本体の背面には膜状の弾性材が貼り付けられていることを特徴とする請求項１乃至４のいずれかに記載のエレベータのピット内点検用梯子装置。
【発明の詳細な説明】
【技術分野】
【０００１】
この発明は、エレベータ昇降路の最下部のピットに設けられるピット内点検用梯子装置に関する。
【背景技術】
【０００２】
一般にエレベータ昇降路の最下部のピットには梯子装置が設けられ、ピット内での保守点検時にその梯子装置を用いて作業員がピットとその上部のエレベータ乗降口との間で出入りを行なうようにしている。
【０００３】
このような梯子装置として、特開２００５−３１４０８６公報に見られるように、深さが異なる種々のピットに対応できるようにしたものが知られている。この特開２００５−３１４０８６公報の梯子装置は、平行に延びる一対の縦材と、これら縦材間に架設された複数の踏み材とで梯子本体が構成され、その一つの踏み材が縦材に沿って移動可能に取り付けられ、この踏み材に係止部材が固定されている。そしてその踏み材を縦材の長手方向（高さ方向）に沿って移動して係止部材をピットの深さに応じる位置に配置させ、この状態で梯子本体をピットの底面とその上部の最下階のエレベータ乗降口の敷居との間に斜めに立て掛けるとともに、その乗降口の敷居の溝内に前記係止部材を挿入して梯子本体を支持するようになっている。
【特許文献１】特開２００５−３１４０８６公報
【発明の開示】
【発明が解決しようとする課題】
【０００４】
しかしながら、特開２００５−３１４０８６公報の梯子装置においては、乗降口の敷居の溝内に挿入する係止部材が、梯子本体の一つの踏み材の背面に固定して取り付けられ、その踏み材の背面から突出する状態にある。このため、梯子本体をピット内に収納するときに、その踏み材から突出した係止部材が収納の邪魔となり、また突出した係止部材がピット内の機器類や壁面などに引っ掛かって破損してしまう恐れがある。
【０００５】
梯子本体をピットの底面と乗降口の敷居との間に立て掛ける際には、係止部材を乗降口の敷居の溝内にその上方から垂直に差し込む必要がある。ところが、前記係止部材は踏み材の背面に一定の角度で固定して取り付けられており、このため梯子本体を立て掛けて係止部材を敷居の溝の上方に垂直に配置させるときには、梯子本体を動かして立て掛けの傾斜の角度を調整し、さらにその垂直に配置させた係止部材を敷居の溝に挿入する際に梯子本体の全体を上下に動かさなければならず、このため作業が相当面倒で能率が低下する。
【０００６】
この発明はこのような点に着目してなされたもので、その目的とするところは、梯子装置の収納時などには係止部材が梯子本体から突出せずにコンパクトな形態に保て、また梯子本体を立て掛けて使用する際には、係止部材を乗降口の敷居の溝内に容易に的確に挿入して能率よく設置することができるエレベータのピット内点検用梯子装置を提供することにある。
【課題を解決するための手段】
【０００７】
請求項１の発明は、エレベータ昇降路のピットの底面と、そのピットの上部のエレベータ乗降口の敷居との間に立て掛けて使用する梯子装置であって、梯子本体と、この梯子本体の両側面に設けられた締め部材と、これら締め部材を介して前記梯子本体に取り付けられ、締め部材を緩めることで締め部材を中心として梯子本体に対して傾斜する方向に回動可能で、かつ締め部材の軸方向に対する直角の方向に移動調整可能であるとともに、前記敷居のガイド溝内に挿入可能な係止板を有する係止部材とを具備することを特徴としている。
【０００８】
請求項２の発明は、前記係止部材を支持する締め部材が、梯子本体の長手方向に沿う複数の位置に移動調整可能であることを特徴としている。
【０００９】
請求項３の発明は、前記敷居のガイド溝の底面に異物排出用の排出孔が形成され、前記係止部材の係止板には前記排出孔に挿入可能な突片が形成されていることを特徴としている。
【００１０】
請求項４の発明は、前記係止部材の係止板の外面に前記突片を含んで膜状の弾性材が貼り付けられていることを特徴としている。
【００１１】
請求項５の発明は、前記梯子本体の背面に膜状の弾性材が貼り付けられていることを特徴としている。
【発明の効果】
【００１２】
この発明によれば、梯子装置の収納時などには係止部材が梯子本体から突出せずにコンパクトな形態に保て、また梯子本体を立て掛けて使用する際には、係止部材を乗降口の敷居のガイド溝内に容易に的確に挿入して能率よく梯子本体をピットの底面と乗降口の敷居との間に設置することができる。
【発明を実施するための最良の形態】
【００１３】
以下、この発明の実施の形態について図面を参照して説明する。
【００１４】
図１には第１の実施形態に係る梯子装置の側面図を、図２には同じく正面図を、図３には同じく背面図を、図４には同じく断面図を示してある。
【００１５】
この梯子装置１は梯子本体２を備え、この梯子本体２は、平行に並んで一方向に延びる一対の縦材３と、これら縦材３間に水平に架設された複数の踏み材４とで構成されている。各縦材３は断面Ｌ形の鋼材からなり、これら縦材３の側面には、梯子本体２の上部の一定区間において、複数の透孔５が形成されている。これら透孔５は縦材３の長手方向に沿って所定のピッチで並ぶように形成されている。各縦材３の内側面には前記各透孔５に対応してそれぞれナット６が溶接されて取り付けられている。
【００１６】
梯子本体２の背面側には係止部材８が設けられている。この係止部材８は、互いに対向する一対の側板９と、これら側板９の下部間に掛け渡された横長板状の係止板１０とを一体に有するほぼコ字状をなし、各側板９に上下に長い長孔１１が形成されている。そしてこれら側板９が縦材３の外側面に摺動自在に重ね合わされ、この状態で各側板９の長孔１１から各縦材３に形成された一つの透孔５及びその内側のナット６に渡って軸状の締め部材としてのボルト１２がそれぞれ挿入され、これらボルト１２の締め付けにより梯子本体２に係止部材８が取り付けられ、固定されている。
【００１７】
係止部材８の両側板９は梯子本体２の縦材３に沿って延び、これら側板９の下部間に架設された係止板１０は側板９とクランク状に繋がって梯子本体２の背面側に配置され、その背面と面接触するように支持されている。そして、この係止部材８は、前記ボルト１２を緩めることで、ボルト１２を中心にして前記係止板１０が梯子本体２から離れる方向に回動でき、また側板９の長孔１１に沿ってボルト１２と直角の方向に移動できるようになっている。
【００１８】
図５にはエレベータ昇降路の最下部のピット１７を示してある。このピット１７の上部に建屋の最下階のエレベータ乗降口１８が臨んでおり、この乗降口１８の縁には乗降口１８を開閉するドアパネル（図示せず）の移動をガイドする敷居１９が設けられている。敷居１９の拡大断面図を図６に示してある。
【００１９】
敷居１９には、ドアパネルの下端部のガイドシューが摺動自在に嵌合するガイド溝２０が形成され、さらにこのガイド溝２０の底面の複数箇所に、塵などの異物を落下排出させるための排出孔２１が形成されている。これら排出孔２１はガイド溝２０に沿って長い長孔状をなしている。なお、ピット１７内の保守点検時にはドアパネルは開かれ、乗降口１８に対して敷居１９の上面が露出される。また、ピット１７の底面には安全装置としての緩衝器２２が設けられている。
【００２０】
梯子本体２に設けられた係止部材８の係止板１０は、前記ガイド溝２０内に挿入可能な厚さの板材であり、この係止板１０の左右方向の中間部の下端面には図２及び図３に示すように前記排出孔２１に対応する突片２５が一体に突出形成されている。そして前記突片２５を含む係止板１０の下部外面のほぼ全体の領域には、図７に示すようにゴムなどの弾性材２６が膜状に貼り付けられている。また、図１に示すように、梯子本体２の上部の一定区間において、各縦材３の背面にゴムなどの弾性材２７が貼り付けられている。
【００２１】
この梯子装置１は、ピット１７内の保守点検の際に、図８に示すようにピット１７の底面と最下階のエレベータ乗降口１８の敷居１９との間に梯子本体２を斜めに立て掛けて使用する。梯子本体２を立て掛ける際には、梯子本体２に所定のピッチで並んで設けられたナット６のうちからピット１７の深さに応じる位置のナット６を選び、そのナット６にボルト１２を挿入して梯子本体２のピット１７の深さに応じる位置に係止部材８を取り付ける。
【００２２】
そして梯子本体２を立て掛けた際に、図９に示すように、前記係止部材８の係止板１０を敷居１９のガイド溝２０内にその上方から垂直に差し込み、さらにこの係止板１０の下端面の突片２５をガイド溝２０の底面の排出孔２１に差し込む。
【００２３】
係止部材８は、ボルト１２を緩めることでそのボルト１２を中心に回動し、また長孔１１に沿って上下に移動させることができるから、梯子本体２の傾斜の角度に関わらず、係止部材８を敷居１９の上方に垂直に向けて配置し、この状態から垂直に下方に移動でき、したがって係止板１０をガイド溝２０内に容易に円滑に挿入することができるとともに、突片２５を排出孔２１内に的確に差し込むことができる。すなわち、梯子本体２の傾斜の角度を変えたり上下に動かしたりすることなく、梯子本体２を定位置に固定したまま、係止部材８の位置及び向きを調整してその係止部材８の係止板１０を敷居１９のガイド溝２０内に垂直に挿入することができる。
【００２４】
係止部材８の係止板１０をガイド溝２０内に挿入した後には、ボルト１２を締め付けて係止部材８を梯子本体２に固定する。これにより、梯子本体２が敷居１９に係止部材８を介して安定して係止される。そして、ピット１７内を点検する作業員がこの梯子本体２を伝わってピット１７とエレベータ乗降口１８との間での出入りを行なう。
【００２５】
係止部材８の係止板１０には突片２５が設けられ、この突片２５がガイド溝２０の底面の排出孔２１に差し込まれており、このため梯子本体２が横ずれやがたつきなどを起こすことがなく、立て掛け状態が安定し、したがって作業員は不安なく安全に梯子本体２を伝わって移動することができる。
【００２６】
突片２５を含む係止板１０の外面のほぼ全体は膜状の弾性材２６で覆われているから、梯子本体２に外力が加わった際の衝撃などがその弾性材２６により吸収され、したがって梯子本体２の立て掛け状態がより安定し、また梯子本体２が振動するようなこともない。さらに、梯子本体２の上部側背面にも弾性材２７が貼り付けられているため、梯子本体２がその弾性材２７を介して敷居１９に当接し、このため梯子本体２に外力が加わった際の振動をより確実に抑えることができる。
【００２７】
敷居１９はアルミニウムやステンレスなどの傷が付きやすい金属で形成されているが、係止部材８の係止板１０や梯子本体２の背面には弾性材２６，２７が貼り付けられているため、係止板１０や梯子本体２が敷居１９に接触しても傷が付くようなことがない。
【００２８】
係止部材８は梯子本体２の長手方向に対してその取付位置を調整でき、したがってその取付位置をピット１７の深さ寸法に応じる位置に定めることにより、この梯子装置１を深さの異なる種々のピット１７に対応して使用することができる。
【００２９】
保守点検の作業が終了した後には、立て掛けた梯子本体２を取り外す。そして、ボルト１２を緩め、係止部材８を回動して係止板１０を梯子本体２の背面に密着させ、この状態でボルト１２を締め付けて係止部材８を梯子本体２に固定する。これにより係止部材８が梯子本体２から突出せずに梯子本体２に沿うように納まる。
【００３０】
このように梯子装置１は、立て掛けて敷居１９に係止するとき以外は、係止部材８が梯子本体２から突出せずに梯子本体２に沿うように配置され、したがって梯子装置１を立て掛ける作業の際や取り外して移動する作業の際などに、係止部材８がピット１７の壁面やピット１７内の機器類などに引っ掛かるようなことがなく、その作業を能率よく行なえ、また係止部材８の破損を防止することができる。
【００３１】
立て掛けた梯子装置１を取り外した後には、その梯子装置１をピット１７内の収納部に収納して保管する。図１０には梯子装置１の収納状態を示してあり、ピット１７内には収納部２９を構成する一対の腕部材３０が設けられている。これら腕部材３０は、例えばピット１７内に延びたエレベータのつり合い重りガイド用のガイドレール３１に上下に所定の間隔をあけて水平に取り付けられ、これら腕部材３０の表面にそれぞれフック３２が取り付けられている。
【００３２】
梯子装置１を収納する際には、梯子本体２の背面を各腕部材３０の表面に押し当てるとともに、梯子本体２を僅かに下方に引き下げて踏み材４をフック３２の内側に嵌合する。これにより梯子本体２がフック３２を介して各腕部材３０に収納保持される。
【００３３】
一方の腕部材３０の表面には、梯子本体２の着脱を検出する検出スイッチ３５が取り付けられている。腕部材３０に梯子本体２を装着したときには、踏み材４が検出スイッチ３５のアクチュエータ３５ａに接触し、この接触により検出スイッチ３５がオンして梯子本体２の装着が検出される。梯子本体２を腕部材３０から取り外したときには、アクチュエータ３５ａから踏み材４が離れ、梯子本体２の取り外しが検出される。検出スイッチ３５の信号はエレベータの乗りかご（図示せず）の昇降移動を制御する制御盤（図示せず）に送られ、腕部材３０に梯子本体２が収納されていないときには乗りかごが昇降移動しないように管理される。
【００３４】
一対の腕部材３０からなる収納部２９は従来のものと同じ構造であるが、梯子装置１を収納する際には、この梯子装置１の係止部材８が梯子本体２に沿うように配置されて突出することがないため、係止部材８が邪魔とならず、その従来と同じ構造の収納部２９に容易に能率よく収納することができる。
【００３５】
図１１及び図１２には第２の実施形態を示してある。この実施形態は乗りかごの前面と背面とにそれぞれ出入口が設けられている二方向貫通型のエレベータの場合の例であり、ピット１７の上部の一方側が正面側乗降口１８ａ、他方側が背面側乗降口１８ｂとなっており、これら乗降口１８ａ，１８ｂの縁にそれぞれ敷居１９ａ，１９ｂが据え付けられている。
【００３６】
ピット１７の底面には前記乗降口１８ａ，１８ｂ間に渡って延びるように深さの浅い収納溝４０が形成され、この収納溝４０内に梯子装置４１が水平に寝かされて収納されている。この梯子装置４１は、前記第１の実施形態の場合と同様の構造の梯子本体４２を備え、この梯子本体４２の両端部側に第１の実施形態の場合と同様の構造の係止部材４３ａ，４３ｂが梯子本体４２の長手方向の中間点を境に対称的に設けられている。
【００３７】
梯子本体４２の両端側端部にはそれぞれ長尺なロープ４５ａ，４５ｂが連結され、一方のロープ４５ａは正面側乗降口１８ａの敷居１９ａの下方部に設けられたリング４６ａに掛け通されてピット１７の底面部に垂れ降ろされ、他方のロープ４５ｂは背面側乗降口１８ｂの敷居１９ｂの下方部に設けられたリング４６ｂに掛け通されてピット１７の底面部に垂れ降ろされている。
【００３８】
正面側乗降口１８ａとピット１７との間に梯子装置４１を設置して使用するときには、正面側乗降口１８ａからリング４６ａに掛けられているロープ４５ａを引き上げるとともにたぐり寄せて梯子装置４１を敷居１９ａとピット１７の底面との間に立て掛ける。この際、前記第１の実施形態の場合と同様に、係止部材４３ａを敷居１９ａのガイド溝内に嵌合して梯子装置４１を敷居１９ａに係止する。これにより梯子装置４１が安定して支持され、この梯子装置４１を伝わって正面側乗降口１８ａとピット１７との間で作業員が出入りをすることができる。
【００３９】
また、背面側乗降口１８ｂとピット１７との間に梯子装置４１を設置して使用するときには、背面側乗降口１８ｂからリング４６ｂに掛けられているロープ４５ｂを引き上げるとともにたぐり寄せて梯子装置４１を敷居１９ｂとピット１７の底面との間に立て掛ける。そして、係止部材４３ｂを敷居１９ｂのガイド溝内に嵌合して梯子装置４１を敷居１９ｂに係止する。これにより梯子装置４１が安定して支持され、この梯子装置４１を伝わって背面側乗降口１８ｂとピット１７との間で作業員が出入りをすることができる。
【００４０】
このように、この第２の実施形態によれば一台の梯子装置４１を用いてピット１７と正面側乗降口１８ａとの間での出入りと、ピット１７と背面側乗降口１８ｂとの間での出入りを行なうことができる。
【００４１】
ところで、二方向貫通型のエレベータにあっては、梯子装置４１をピット１７内に収納することがスペース的に難しいことがあるが、この場合、図１３に示すようにエレベータのつり合い重り枠５０に梯子装置４１を掛け止めて収納する形態を採ることも可能である。すなわち、つり合い重り枠５０の側面には一対のフック５１が取り付けられている。そしてこれらフック５１に梯子本体４２の踏み材４を掛け止めて梯子本体４２を支持する。
【００４２】
このような収納形態によれば、ピット１７内のスペースに関わりなく、非使用時の梯子装置４１を適正に収納して保管することができる。
【図面の簡単な説明】
【００４３】
【図１】この発明の第１の実施形態に係る梯子装置の側面図。
【図２】その梯子装置の正面図。
【図３】その梯子装置の背面図。
【図４】その梯子装置の断面図。
【図５】エレベータ昇降路のピットの断面図。
【図６】そのピットの上部の乗降口に設けられた敷居の拡大断面図。
【図７】梯子装置の係止部材の側面図。
【図８】梯子装置の使用時の状態を示す側面図。
【図９】梯子装置の係止部材を敷居のガイド溝内に挿入した状態を示す断面図。
【図１０】梯子装置の収納時の状態を示す正面図。
【図１１】この発明の第２の実施形態に係る梯子装置の収納状態の側面図。
【図１２】同じく平面図。
【図１３】梯子装置をつり合い重り枠に取り付けて収納する例を示す側面図。
【符号の説明】
【００４４】
１…梯子装置
２…梯子本体
３…縦材
４…踏み材
５…透孔
６…ナット
８…係止部材
９…側板
１０…係止板
１１…長孔
１２…ボルト
１７…ピット
１８…エレベータ乗降口
１９…敷居
２０…ガイド溝
２１…排出孔
２５…突片
２６…弾性材
２７…弾性材
４１…梯子装置
４２…梯子本体
４３ａ．４３ｂ…係止部材
４５ａ．４５ｂ…ロープ
【図１】
2008201495.tif 000003
【図２】
2008201495.tif 000004
【図３】
2008201495.tif 000005
【図４】
2008201495.tif 000006
【図５】
2008201495.tif 000007
【図６】
2008201495.tif 000008
【図７】
2008201495.tif 000009
【図８】
2008201495.tif 000010
【図９】
2008201495.tif 000011
【図１０】
2008201495.tif 000012
【図１１】
2008201495.tif 000013
【図１２】
2008201495.tif 000014
【図１３】
2008201495.tif 000015